(57)【要約】【課題】低天端で景観にも影響を与えない津波高潮防災構造物を提供することである。【解決手段】津波高潮防災構造物１は、護岸２の下側に津波の越流水１８を貯水する貯水空間３を形成し、該貯水空間３の上面に開口した越流水用取込口４には透水蓋１０が設置され、護岸２の海側の面には排水口５が開口され、該排水口５が回転自在な排水蓋１５で閉塞されている。【選択図】図１
2008115585.tif 000002
【特許請求の範囲】
【請求項１】
護岸の下側に津波の越流水を貯水する貯水空間を形成し、該貯水空間の上面に、透水蓋が設置された越流水用取込口が開口され、護岸の海側面には排水口が開口されたことを特徴とする津波高潮防災構造物。
【請求項２】
排水口は回転自在な排水蓋で閉塞されたことを特徴とする請求項１に記載の津波高潮防災構造物。
【請求項３】
排水蓋はカーテンウォールまたは鋼製フラップゲートであり、上端部を中心に前方向に回転することを特徴とする請求項２に記載の津波高潮防災構造物。
【請求項４】
透水蓋はグレーチングであることを特徴とする請求項１〜３のいずれかに記載の津波高潮防災構造物。
【発明の詳細な説明】
【技術分野】
【０００１】
本願発明は津波高潮防災構造物に関するものである。
【背景技術】
【０００２】
津波災害を軽減する津波高潮防災構造物としては防波堤、防潮堤、津波高潮水門、陸閘および胸壁などが各地で構築されている。これらの構造物は津波を前面で反射することにより背後への津波の浸入を防いでいる。またその他の津波高潮防災構造物としては、例えば、特開平７−１１３２１８号公報の発明がある。
【特許文献１】特開平７−１１３２１８号公報
【発明の開示】
【発明が解決しようとする課題】
【０００３】
しかし、津波は水深が浅くなると波の高さが急激に高くなるために上記の津波高潮防災構造物が大断面で大型化している。また、このような大規模構造物は景観にも悪い影響を与えるうえ、津波高潮対策以外に使用用途がないという問題もあった。
【０００４】
本願発明は上記のような問題に鑑みてなされたものであり、その目的は低天端で景観にも影響を与えない津波高潮防災構造物を提供することである。
【課題を解決するための手段】
【０００５】
以上の課題を解決するための津波高潮防災構造物は、護岸の下側に津波の越流水を貯水する貯水空間を形成し、該貯水空間の上面に、透水蓋が設置された越流水用取込口が開口され、護岸の海側面には排水口が開口されたことを特徴とする。また排水口は回転自在な排水蓋で閉塞されたことを含む。また排水蓋はカーテンウォールまたは鋼製フラップゲートであり、上端部を中心に前方向に回転することを含む。また透水蓋はグレーチングであることを含むものである。
【発明の効果】
【０００６】
津波の越流水が貯水空間に流入することによって居住区などへの津波の浸入を防ぐことができる。また透水蓋であるグレーチングから貯水空間内に、越流水を取り込みやすくなる。また引波時に排水蓋が前方に回転して貯水空間内の越流水を自動的に排水するため、津波の第２波以降の来襲にも備えることができる。また津波高潮護岸は、背後への津波の越流を許容するため、天端高を抑えることができるとともに、景観にも大きな影響を与えないばかりか、手摺りを付けることにより展望広場となって親水護岸としての機能も併せ持つようになる。また津波の来ない通常は、貯水空間上面に展望公園や避難施設を造ることができるほか、貯水空間を駐車場などに使用することにより便益効果も大きくなる。また想定以上の津波が来襲し、貯水空間から溢水した場合でも、居住区への浸水開始時間を遅延させることができるので避難するための時間を確保することができる。
【発明を実施するための最良の形態】
【０００７】
以下、本願発明の津波高潮防災構造物の実施の形態を図面に基づいて詳細に説明する。この津波高潮防災構造物は護岸を越流した津波を護岸の下側の貯水空間に貯水することによって、居住空間への津波の浸入を防ぐというものである。
【０００８】
津波高潮防災構造物１は、図１に示すように、護岸２の下側に津波の越流水を貯水する貯水空間３と、該貯水空間３の上面に開口した越流水用取込口４と、護岸２の海側の面に開口した排水口５とから構成されている。
【０００９】
この貯水空間３は津波の越流水を貯水するための十分な大きさを備えており、地下街と同じように、適宜間隔ごとに立設した柱６によって天井（護岸上面）７を支持している。この貯水空間３は上面に越流水用取込口４を有した前部貯水空間８と、この越流水用取込口４を有しない後部貯水空間９とからなり、この後部貯水空間９が前部貯水空間８よりもやや高く形成されて（天井高が高くなっている）、より多くの越流水が貯水できるようになっている。
【００１０】
この後部貯水空間９の高さは、例えば前部貯水空間８の高さ（汀線からの高さ）が２ｍとすると、これよりも１ｍ高い３ｍとする。このように後部貯水空間９を前部貯水空間８よりも高くすると、越流水をより多く貯水できるばかりでなく、越流水が居住区へ浸入するのを防ぐ機能も果たす。
【００１１】
この前部貯水空間８の上面（護岸上面）に開口された越流水用取込口４には透水蓋１０であるグレーチングが設置されている。この越流水用取込口９は、越流水を迅速に取り込めるように、前部貯水空間８の上面全面にわたって開口されているか、または適宜間隔ごとに前部貯水空間８の上面全面にわたって開口されている。また前部貯水空間８の上面の海側には手摺り１１が設けられて、親水護岸としての機能も持たせている。
【００１２】
一方、後部貯水空間９の上面には避難施設１２や展望公園１３などが設けられるとともに、後部貯水空間９内には駐車場１４が設けられ、展望公園１３に来た人たちが利用できるようになっている。この後部貯水空間９の上面は、上記の避難施設１２や展望公園１３などに限らず、その他のものを設置して有効利用することもできる。
【００１３】
また護岸２の海側の面に開口した排水口５には、図３に示すように、プレキャストコンクリート製のカーテンウォールからなる排水蓋１５が設置されている。この排水蓋１５の上端部が排水口５の両側の支柱１７にピン１６で設置され、このピン１６を中心に排水蓋１５が前方にのみ回転するようになっている。
【００１４】
したがって、排水蓋１５は、図４の（１）に示すように、通常時には波によって護岸２側に押し付けられて閉じた状態になる。しかし、同図の（２）に示すように、津波の来襲によって貯水空間３内に越流水が流入して水位が上昇した後、外海水位が引波によって低下した時には、その水圧差によって前方に回転して開くことにより、貯水空間３に溜まった越流水１８を自動的に排水するようになっている。また貯水空間３の底面１９を海側に向かって僅かに傾斜させるか、または底面１９に海側に向かって伸びる細かな排水溝（図示せず）を形成するようにすると、越流水１８がスムーズに排水口５から流れ出るようになる。
【００１５】
なお、排水蓋１５は、上記のようなカーテンウォールに限らず、鋼製フラップゲートであってもよい。
【００１６】
また図５は前部貯水空間８の海側の上面に、それほど高くない防護堤２０を設けた津波高潮防災構造物２１であり、これ以外は津波高潮防災構造物１と同じ構成である。このような防護堤２０を設けると、津波をさらに効果的に防ぐことができるようになる。
【００１７】
次に、本願発明の効果を確認するために計算例による検証をおこなった。
〔計算地形〕
図６に示すように、幅２ｋｍ、１％勾配の等水深線海岸汀線に高さ２ｍの護岸（１）のみを配置する。そして、この護岸（１）の１２０ｍ背後の居住境界には高さ３ｍの壁（２）を配置して、貯水空間（底面レベル０ｍ）を設ける。この（１）および（２）には排水機能を持たせない。そして、この前面の護岸を排水機能を持たせた本願発明の護岸（３）とする。この（１）〜（３）の各地形についての比較計算を行った。
【００１８】
〔計算条件〕
周期が１０分の正弦波を沖１．５ｋｍで造波し、護岸前面で３ｍ以上となる津波を入射させる。この計算は非線形長波式に陸上遡上を考慮した数値解析で行う。各ケースとも護岸より前面津波高が大きくなった場合は越流式を適用し、さらに（３）では貯水空間内水位が護岸前面水位よりも大きくなった場合は、もぐり越流による排水計算を行う。
【００１９】
〔計算結果〕
各ケースにおける護岸前面（外水位）および護岸背後（内水位）の水位変動を図７に示し、浸水範囲および浸水時間を図８に示す。この結果、（１）では第１波目から背後域３６０ｍ程度にわたって浸水し、（２）でも第２波以降に居住区境界壁を越えて居住区への浸水が見られる。一方、排水機能を持たせた護岸（３）の場合は、居住区への浸水は見られず（貯水空間への流入と排水を繰り返す）、浸水範囲も他のケースと比べて小さくなることがわかり、本願発明の効果を確認することができた。
【００２０】
なお、上記の実施の形態においては、護岸２の海側の面に開口した排水口５に、プレキャストコンクリート製のカーテンウォールからなる排水蓋１５が設置された津波高潮防災構造物１について説明しているが、排水口５に排水蓋１５が設置されない津波高潮防災構造物を構築することもできる。
【図面の簡単な説明】
【００２１】
【図１】津波高潮防災構造物の断面図である。
【図２】津波高潮防災構造物の前部貯水空間の平面図である。
【図３】津波高潮防災構造物の排水口の正面図である。
【図４】（１）は図３のＡ−Ａ線断面図、（２）は排水蓋が開いた断面図、（３）は図３のＢ−Ｂ線断面図である。
【図５】他の津波高潮防災構造物の断面図である。
【図６】計算地形の平面図である。
【図７】（１）〜（３）は内外水位変動を示すグラフ図である。
【図８】津波の浸水範囲および浸水時間を示す図である。
【符号の説明】
【００２２】
１、２１  津波高潮防災構造物
２  護岸
３  貯水空間
４  越流水用取込口
５  排水口
６  柱
７  天井
８  前部貯水空間
９  後部貯水空間
１０  透水蓋
１１  手摺り
１２  避難施設
１３  展望公園
１４  駐車場
１５  排水蓋
１６  ピン
１７  支柱
１８  越流水
１９  底面
２０  防護堤
【図１】
2008115585.tif 000003
【図２】
2008115585.tif 000004
【図３】
2008115585.tif 000005
【図４】
2008115585.tif 000006
【図５】
2008115585.tif 000007
【図６】
2008115585.tif 000008
【図７】
2008115585.tif 000009
【図８】
2008115585.tif 000010